(57)【要約】   【課題】  ぶどう、イチゴ等のパック物商品の陳列及びパック物商品より大きな載置面積を必要とするスイカ、メロンなどの丸物商品の陳列を可能にする陳列の演出に優れた階段状商品陳列台を提供すること。  【解決手段】  平面部材ｂと垂直部材ａからなる段差を２段以上有する階段状の陳列本体１１と、天板部材ｃと該天板部材ｃの前方縁から下方に屈曲して延出する垂直部材ｄからなる逆Ｌ字断面形状物であって、該１の段差に嵌合して２段を１の段差とする補助部材１２とからなる階段状商品陳列台１０。【選択図】      図１
0003102271.tif 000002
【実用新案登録請求の範囲】
【請求項１】
平面部材と垂直部材からなる段差を２段以上有する階段状の陳列本体と、天板部材と該天板部材の前方縁から下方に屈曲して延出する垂直部材からなる逆Ｌ字断面形状物であって、該段差に嵌合して段差の数を減じる補助部材とからなることを特徴とする階段状商品陳列台。
【請求項２】
前記補助部材は、該陳列本体の一の段差に嵌合して２段を一の段差とする補助部材とからなることを特徴とする階段状商品陳列台。
【請求項３】
前記補助部材の数は、前記陳列本体の有する段差の数の半分であることを特徴とする請求項１又は２記載の階段状商品陳列台。
【請求項４】
前記陳列本体の陳列面及び前記補助部材の陳列面が、共に平面視で中央に向けて前寄りとなるアーチ形状であることを特徴とする請求項１〜３のいずれか１項記載の階段状商品陳列台。
【請求項５】
前記陳列本体の１段差当りの補助部材は、左右対称の２つの部材からなることを特徴とする請求項１〜４のいずれか１項記載の階段状商品陳列台。
【請求項６】
前記陳列本体の偶数段における平面部材に係止孔が形成され、前記補助部材の天板部材の裏面に該係止孔に係止する係止片が形成され、該陳列本体と該補助部材の嵌合が、該係止孔と該係止片の嵌め合いによるものであることを特徴とする請求項１〜５のいずれか１項記載の階段状商品陳列台。
【請求項７】
移動自在な支持台に載置されるものであることを特徴とする請求項１〜６のいずれか１項記載の階段状商品陳列台。
【考案の詳細な説明】
【技術分野】
【０００１】
本考案は、主にスーパー、百貨店、専門店、コンビニエンスストアー等の店内
で商品を階段状で陳列するのに用いられ、大小２つの陳列面を形成できる陳列の演出に優れた階段状商品陳列台に関するものである。
【背景技術】
【０００２】
近年、スーパー、百貨店、専門店、コンビニエンスストアー等の店内で例えば商品の陳列に使用される商品陳列棚として、商品を載置する１以上の斜面を一方向に隣接して設け、この一方向一端に商品落下防止部を有し且つ他端に平面を有して表陳列面を構成し、該表陳列面の裏側に仕切り板の嵌合溝を少なくとも１以上設けて裏陳列面を構成してなり、前記陳列ケース内に高さ可変の設置台を配設し、該設置台に商品陳列棚の前記表陳列面及び裏陳列面のいずれか一方を置き、いずれか他方に商品を陳列する陳列棚が知られている（特開２００１−１９７９８４号公報）。この商品陳列棚は、少ない部品で、商品の多様化、頻繁に起こる模様替えに十分に対応出来、模様替えの度に不用となったり、新たに購入する必要性を少なくし、かつ保管のためのスペースを減らすことができる効果があり、極めて有用な陳列棚である。また、ぶどう、イチゴなどのパック物商品の陳列に適する雛壇形状の陳列台が知られている。
【考案の開示】
【考案が解決しようとする課題】
【０００３】
しかしながら、特開２００１−１９７９８４号公報記載の陳列棚は一体型であるため、陳列面の変形にも限界があり、また、段差の多い階段状の陳列形態は取れない。このため、模様替えにより大きさや形状の異なる商品を入れ替える場合、対応できないケースがある。また、雛壇形状の陳列台は、その陳列面に応じたサイズのパック物しか陳列できず、スイカ、メロンなどの丸物商品は陳列することができない。
【０００４】
従って、本考案の目的は、ぶどう、イチゴ等のパック物商品の陳列及びパック物商品より大きな載置面積を必要とするスイカ、メロンなどの丸物商品の陳列を可能にする陳列の演出に優れた階段状商品陳列台を提供することにある。
【課題を解決するための手段】
【０００５】
すなわち、本考案（１）は、平面部材と垂直部材からなる段差を２段以上有する階段状の陳列本体と、天板部材と該天板部材の前方縁から下方に屈曲して延出する垂直部材からなる逆Ｌ字断面形状物であって、該段差に嵌合して段差の数を減じる補助部材とからなることを特徴とする階段状商品陳列台。
【０００６】
すなわち、本考案（２）は、前記補助部材は、該陳列本体の一の段差に嵌合して２段を一の段差とする補助部材とからなることを特徴とする階段状商品陳列台を提供するものである。
【０００７】
また、本考案（３）は、前記補助部材の数は、前記陳列本体の有する段差の数の半分であることを特徴とする前記階段状商品陳列台を提供するものである。
【０００８】
また、本考案（４）は、前記陳列本体の陳列面及び前記補助部材の陳列面が、共に平面視で中央に向けて前寄りとなるアーチ形状であることを特徴とする前記階段状商品陳列台を提供するものである。
【０００９】
また、本考案（５）は、前記陳列本体の１段差当りの補助部材は、左右対称の２つの部材からなることを特徴とする前記階段状商品陳列台を提供するものである。
【００１０】
また、本考案（６）は、前記陳列本体は偶数段の平面部材に係止孔が形成され、前記補助部材は天板部材の裏面に該係止孔に係止する係止片が形成され、該陳列本体と該天板部材の嵌合が、該係止孔と該係止片の嵌め合いによるものであることを特徴とする前記階段状商品陳列台を提供するものである。
【００１１】
また、本考案（７）は、移動自在な支持台に載置されるものであることを前記階段状商品陳列台を提供するものである。
【考案の効果】
【００１２】
本考案によれば、階段状の陳列本体のみによるぶどう、イチゴ等のパック物商品の陳列に好適な第１の陳列形態、及び当該階段状の陳列本体と補助部材の組み合わせによるスイカ、メロンなどの丸物商品の陳列に好適な第２の陳列形態を演出できる。また、更に補助部材の使用個数を制限することにより第３の陳列形態を演出でき、また更に１段差につき左右対称の一対の補助部材を使用し、更にその使用個数を制限することにより、第４の陳列形態を演出することができ、陳列の演出を高めることができる。
【考案を実施するための最良の形態】
【００１３】
本考案の実施の形態における階段状商品陳列台について図１〜図４を参照して説明する。図１は本例の実施の形態における階段状商品陳列台の分解斜視図、図２は一対の補助部材を裏面から見た斜視図、図３は図１において、移動式支持台に陳列本体をセットした図、図４は図３において、陳列本体に補助部材をセットした図をそれぞれ示す。
【００１４】
本実施の形態における移動式階段状商品陳列台１０ａは、移動式支持台１９と、階段状の陳列本体１１と、補助部材１２からなる。移動式支持台１９は陳列本体１１を載置すると共に、移動できる運搬機能を備えるものであり、支持枠体１９１と、４つのキャスター１９２と、左右一対の把持部１９３と、横桟部材１９４からなる。
【００１５】
階段状商品陳列台１０は、本例では平面部材ｂと垂直部材ａからなる１０個の段差１７ａ〜１７ｊを有し、最下段は意匠を兼ねたスカート部１６を備えるもので平面視（正面視）の全体形状が矩形のもので、段差を構成する平面部材ｂは平面視で中央に向けて前寄りとなるアーチ形状ある。また、偶数段差を構成する平面部材ｂには、補助部材１２を取り付ける係合孔１８、１８が形成されている。また、陳列本体１１の側面は段差の裏面が横から見えないように側板１１２が付設されている。また、側板１１２には移動式支持台１９の横桟部材１９４と係合する切り欠き部１１１を有している。このような階段状商品陳列台１０は、平面部材ｂと垂直部材ａで一つの段差状の陳列面を構成するが、平面部材ｂの奥行き寸法が短いため、ぶどう、イチゴ等のパック物商品の陳列に好適な陳列形態となっている。
【００１６】
補助部材１２は、天板部材ｃと天板部材ｃの前方縁から下方に屈曲して延出する垂直部材ｄからなる逆Ｌ字断面形状物であって、該１の段差に嵌合して２段を１の段差とするものである。本例では陳列本体１１の１段差当りの補助部材は、左右対称の２つの部材からなる。すなわち、陳列本体１１の第１段差１７ａに付設される補助部材は第１左側補助部材１３ａと第１右側補助部材１４ａであり、陳列本体１１の第３段差１７ｃに付設される補助部材は第２左側補助部材１３ｂと第２右側補助部材１４ｂであり、陳列本体１１の第５段差１７ｅに付設される補助部材は第３左側補助部材１３ｃと第３右側補助部材１４ｃであり、陳列本体１１の第７段差１７ｇに付設される補助部材は第４左側補助部材１３ｄと第４右側補助部材１４ｄであり、陳列本体１１の第９段差１７ｉに付設される補助部材は第５左側補助部材１３ｅと第５右側補助部材１４ｅである。
【００１７】
補助部材の天板部材ｃの奥行き寸法は、陳列本体の水平部材の２倍であり、補助部材の垂直部材ｄの高さ寸法は、陳列本体の垂直部材と略同じ寸法である。図２の補助部材１２は、図１の第５左側補助部材１３ｅと第５右側補助部材１４ｅを左右の水平軸周りに１８０度回転させて見た図であり、その天板部材ｃの裏面には係合片１３４、１４４を有してなる。また、左側補助部材の左側面には側板ｅが付設され、右側補助部材の右側面には側板ｅがそれぞれ付設されている。
【００１８】
本例の移動式階段状商品陳列台１０ａは、以下のように組み付けられる。移動式支持台１９に階段状商品陳列台１０を載置することにより組み付ける（図３参照）。移動式支持台１９と階段状商品陳列台１１の組み付け方法は特に制限されず、例えば本例のように、移動式支持台１９の横桟部材１９４に階段状商品陳列台１０の側板に形成された切り欠き部１１１を嵌合することにより組み付けることができる。
【００１９】
次いで、階段状商品陳列台１０に補助部材１２を組み付ける（図４）。本例では、階段状商品陳列台１０の段差を形成する水平部材ｂの係合孔１８に補助部材１２の天板ｃの裏面に形成された係合片１３４、１４４を係合させることにより組み付けられる。これにより、陳列本体１１が有する１０個の段差は、補助部材１２が嵌められた後、５個の段差となる。
【００２０】
本考案の階段状商品陳列台１０は、補助部材１２の不使用及び使用により異なる陳列形態を得ることができ、また、補助部材１２の使用個数により異なる陳列形態を得ることができ、また更に、陳列本体の１段差当りの補助部材を左右対称の２つの部材とし、この補助部材の使用箇所および使用個数により更に異なる陳列形態を得ることができる。
【００２１】
本考案の階段状商品陳列台１０の第１の陳列形態は、階段状の陳列本体１１のみによる場合である。この場合、段差１７ａ〜１７ｊの１０個の陳列面を有する階段状商品陳列台を形成することができ、ぶどう、イチゴ等のパック物商品の陳列に好適である。第２の陳列形態は、図４に示すように、左右一対の補助部材１２を５組用意し、これを階段状の陳列本体１１の偶数段差に嵌め込んだものである。この場合、補助部材１２の天板部材ｃの奥行き寸法は陳列本体の水平部材ｂの２倍あり、陳列面を広く採れるため、例えばスイカ、メロンなどの丸物商品の陳列に好適である。
【００２２】
第３の陳列形態は、第２の陳列形態において、補助部材の使用個数を制限したものである（不図示）。補助部材の使用個数を制限する方法としては、特に制限されないが、例えば図４において、１段毎の補助部材１１の設置を省略する方法、任意の段差の補助部材１１の設置を省略する方法、一の段差に係る補助部材のうち、右側の補助部材又は左側の補助部材を全て省略する方法、一の段差に係る補助部材のうち右側の補助部材を省略し、次の段差に係る補助部材のうち左側の補助部材を省略して、これを繰り返すジグザグに省略する方法、及び一の段差に係る補助部材のうち右側又は左側の補助部材を省略し、次の段差に係る補助部材のうち左側又は右側の補助部材を省略して、これを繰り返す不規則に省略する方法等が挙げられる。
【００２３】
本例の移動式階段状商品陳列台１０Ａによれば、階段状の陳列本体のみによるぶどう、イチゴ等のパック物商品の陳列に好適な陳列形態、当該階段状の陳列本体と補助部材の組み合わせによるスイカ、メロンなどの丸物商品の陳列に好適な陳列形態を演出できる。また、補助部材の使用個数を制限することにより、更に１段差につき左右対称の一対の補助部材を使用し、更にその使用個数を制限することにより、陳列形態を変えることができ、陳列の演出を高めることができる。また、移動自在であるため、店内の希望の位置に容易に設置することができる。
【００２４】
本考案の階段状商品陳列台の変形例として、陳列本体の二の段差に嵌合して３段を一の段差とする補助部材を使用することもできる。この場合、補助部材の天板部材の奥行き寸法は、上記実施の形態の係合方法を採るならば、陳列本体の水平部材の奥行き寸法の３倍、補助部材の垂直部材の高さ寸法は、陳列本体の垂直部材の高さ寸法の２倍である。
【００２５】
本考案の階段状商品陳列台において、階段状の陳列本体が設置される場所としては、上記移動式支持台に限定されず、それ以外に、固定式支持台、壁面と床面間などが挙げられる。また、階段状の陳列本体の段差の数も特に制限されない。階段状の陳列本体のスカート部はあってもなくてもよい。
【図面の簡単な説明】
【００２６】
【図１】本例の実施の形態における階段状商品陳列台の分解斜視図である。
【図２】一対の補助部材を裏面から見た斜視図である。
【図３】図１において、移動式支持台に陳列本体をセットした図である。
【図４】図３において、陳列本体に補助部材をセットした図である。
【符号の説明】
【００２７】
１０ａ  移動式階段状商品陳列台
１０    階段状商品陳列台
１１     階段状陳列本体
１２    補助部材
１３    左側補助部材
１４    右側補助部材
１６    スカート部
１７ａ〜１７ｊ    段差
１８    係合孔
１９    移動式支持台
１１１  切り欠き部
１１２    側板
ａ      垂直部材
ｂ      平面部材
ｃ      天板部材
ｄ      垂直部材
ｅ      側板
１３４、１４４    係合片
１９１    支持枠体
１９２    キャスター
１９３    把持部
１９４    横桟部材
【図１】
0003102271.tif 000003
【図２】
0003102271.tif 000004
【図３】
0003102271.tif 000005
【図４】
0003102271.tif 000006